(57)【要約】      （修正有）【課題】複数の回転自在キャスターの回転自在軸を、垂直方向に対し相反する方向に一定角度傾斜するように取付ることにより、キャスターが相反する方向に向き、停止機能を有するキャスター取付装置を提供する。【解決手段】複数の回転自在キャスターの回転自在軸を、垂直方向に対し相反する方向に一定角度ａ傾斜するように勾配金具５を挿入させたり、勾配金具５を勾配取付金具３３としたり、キャスターの回転軸と一体に形成された取付ボルト３５が、挿通する孔５３を有する勾配座金５と内側に傾斜ボルトねじ孔を有する器具取付ボルト６を介在させる。これにより、回転自在キャスターは相反する方向に向き合うことでペタルやレバーを必要とせずに停止機能を有し、動かす時には何ら操作なしに動かすことができる。【選択図】図３
0003121360.tif 000002
【実用新案登録請求の範囲】
【請求項１】
椅子、車台などの移動器具に回転自在に取付られるキャスターにおいて、前記キャスターの取付金具と器具との間に該キャスターが垂直線に対して一定の傾斜角度に取付られるように勾配金具を挿入したことを特徴としたキャスター取付装置。
【請求項２】
勾配金具を円形とし、その外周に沿って複数の取付孔を有することを特徴とした請求項１記載のキャスター取付装置。
【請求項３】
勾配金具をキャスター取付金具としたことを特徴とした請求項１記載のキャスター取付装置。
【請求項４】
勾配金具をキャスターの回転軸と一体に形成された取付ボルトが挿通する勾配座金としたことを特徴とした請求項１記載のキャスター取付装置。
【請求項５】
キャスターの回転軸と一体に形成された取付ボルトを垂直線に対して一定角度傾斜させることとし、この傾斜した取付ボルトを器具取付ボルトの内ねじ孔に螺合させたことを特徴とした請求項１記載のキャスター取付装置。
【考案の詳細な説明】
【技術分野】
【０００１】
本考案は移動器具に回転自在に取付られる停止機能付きキャスター取付装置に関するものである。
【背景技術】
【０００２】
従来からの回転自在に取付られる停止機能付きキャスター取付装置は、完全停止の為のものであり、ペダルやレバーの操作が必要であった。
【特許文献１】特開２００４−１３１００１号公報
【特許文献２】特開２００５−３１３６８４号公報
【考案の開示】
【考案が解決しようとする課題】
【０００３】
本考案の停止機能付きキャスター取付装置の課題は、椅子、車台などの移動器具に回転自在に取付られるキャスターにおいて、動かしたり停止させる際にペタルやレバーの操作を必要とせず、また、ペタルやレバーを使用しないのでその停止機能は劣化しない停止機能付きキャスター取付装置を提供することにある。
【課題を解決するための手段】
【０００４】
本考案は上記の課題を解決する為に、移動器具において、回転自在に取付られた複数のキャスターの取付金具と器具との間に勾配金具の勾配方向を相反する方向に挿入すること、また、この勾配金具をキャスター取付金具としたこと、あるいはこの勾配金具がキャスターの回転軸と一体に形成された取付ボルトが挿通する勾配座金とし、このキャスターの回転軸と一体に形成された取付ボルトを垂直線に対し傾斜させる為に、傾斜内ねじ孔を有する器具取付ボルトを介在させることなどにより、自然状態で引力により、それぞれの回転自在キャスターは相反する方向に向き合うことでペタルやレバーを必要とせずに停止機能を有し、動かす時には何ら操作なしに動かすことができる。また、この勾配金具を円形とし、その外周に沿って複数の取付孔を有することで、勾配金具の勾配の向きの更なる調整が可能とすることで複数のキャスターの垂直線に対する傾斜方向が変わり、停止機能の強弱を調整もできることを特徴とする。
【考案の効果】
【０００５】
本考案のキャスター取付装置はキャスターが垂直線に対して一定の傾斜角度ａに取付られるよう勾配金具５やキャスター取付金具３３、および、勾配座金５と内側に傾斜ボルトねじ孔を有する器具取付ボルト６を介在させることなどにより、勾配方向を相反する方向に取付けることにより、自然状態でそれぞれの回転自在キャスター３は相反する方向に向くことによりペタルやレバーを必要としなくても停止機能を有し、その停止機能はペタルやレバーを必要としない構造から操作が簡単でその停止機能は持続する。
【考案を実施するための最良の形態】
【０００６】
請求項１により、図１および図２に示す如く、移動器具を台車１とした状態を示し、荷台２の底面前後にキャスター３、４を取付ている。而して、この前方のキャスター３は回転自在に取付られる。図３、図４、図５に示す如く、この回転自在に取付られるキャスター３において、取付金具３２と台車１との間にキャスター３が垂直線に対して一定の傾斜角度ａを保持すべく取付られるように勾配金具５を挿入させたことを特徴としており、この勾配金具５の勾配方向を相反する方向に挿入させることで、この進行方向左右の回転自在キャスター３は自然状態で引力により図２に示すように相反する方向に向くことにより停止機能を有する。
【実施例１】
【０００７】
請求項２により、図６および図７で示す如く、この勾配金具５を円形とし、その外周に沿って複数の取付孔５１や複数の連続した取付孔５２を付したことで勾配金具５の勾配の向きの更なる調整が可能とすることで複数のキャスター３の垂直線に対する傾斜方向が変わり、停止機能の強弱を調整もできる。
【実施例２】
【０００８】
請求項３により、図９に示す如く、台車とキャスターの間に挿入させる勾配金具５をキャスター取付金具３３とすることで同様の効果を得る。またこのキャスター取付金具３３の形状を円形にし、取付孔を複数にすることで実施例２に記するようにその用途により停止機能の強弱を調整もできる。
【実施例３】
【０００９】
請求項４により、図１０に示す如く、台車とキャスターの間に挿入させる勾配金具５をキャスターの回転軸と一体に形成された取付ボルト３５が挿通する孔５３を有する勾配座金５とし、台車に傾斜した状態で取付けることでも同様の効果を得る。
【実施例４】
【００１０】
請求項５により、図１１図１２に示す如くキャスターの回転軸と一体に形成された取付ボルト３５を器具取付ボルト６の内側に螺合させることで、台車に垂直に取付けることが可能であり、また、この器具取付ボルト６にナットを介在させることで実施例２に記するようにその用途により停止機能の強弱を調整もできる。
【図面の簡単な説明】
【００１１】
【図１】台車１の側面図
【図２】台車１の底面図
【図３】キャスターの側面図
【図４】同上の正面図
【図５】勾配金具の側面図
【図６】異なる実施例を示す勾配金具の平面図
【図７】同上の実施例を示す勾配金具の平面図
【図８】図３の一部断面図
【図９】異なる実施例を示すキャスター取付装置の側面図
【図１０】異なる実施例を示すキャスター取付装置の一部断面側面図
【図１１】異なる実施例を示すキャスター取付装置の側面図
【図１２】同上の一部断面構成図
【符号の説明】
【００１２】
１    台車
２    荷台
３    回転自在キャスター
３１  車輪支持脚
３２  取付金具
３３  勾配取付金具
３４  埋め込み型取付金具
３５  回転軸と一体に形成された取付ボルト
５    勾配金具
５１  複数の取付孔
５２  複数の連続した取付孔
５３  回転軸と一体に形成された取付ボルトが挿通する孔
６    内側に傾斜ボルトねじ孔を有する器具取付ボルト
７    台車ハンドル
ａ    回転軸の垂直線に対する一定角度の傾斜
【図１】
0003121360.tif 000003
【図２】
0003121360.tif 000004
【図３】
0003121360.tif 000005
【図４】
0003121360.tif 000006
【図５】
0003121360.tif 000007
【図６】
0003121360.tif 000008
【図７】
0003121360.tif 000009
【図８】
0003121360.tif 000010
【図９】
0003121360.tif 000011
【図１０】
0003121360.tif 000012
【図１１】
0003121360.tif 000013
【図１２】
0003121360.tif 000014